(57)【要約】【課題】張り出し床と、それに隣接した階段により生ずるデッドスペースに設置する、階段側から出し入れ可能な収納装置を提供すること。【解決手段】階段２側面に隣接した張り出し床３４の下に設置される収納装置１であって、階段２の奥行き方向に長く、引き出し可能となされている。【選択図】図２
2004313607.tif 000002
【特許請求の範囲】
【請求項１】
階段側面に隣接した張り出し床の下に設置される収納装置であって、階段の奥行き方向に長く、引き出し可能となされたことを特徴とする収納装置。
【請求項２】
階段昇り口側の収納（Ａ）と階段奥側の収納（Ｂ）とからなり、収納（Ａ）が向きを変えながら引き出されるとともに、収納（Ａ）が引き出された後の空間に収納（Ｂ）が引き出されることを特徴とする請求項１記載の収納装置。
【請求項３】
前記収納（Ａ）及び（Ｂ）は階段昇り口側から出し入れが可能になされていることを特徴とする請求項１又は２記載の収納装置。
【発明の詳細な説明】
【０００１】
【発明の属する技術分野】
本発明は収納装置に関する。
【０００２】
【従来の技術】
従来、建築物は、構造上必要な柱、梁、床などがある一方、建築空間の利用のためのスペース、設備、機器類が必要である。効率を考えれば、それらを隙間無く配置するのが理想であるが、種々の制約によりデッドスペースを生じることがある。そのデッドスペースの有効利用については、例えば階段下のスペースについては、階段室を画成する少なくとも一つの壁部で構成され、残りの壁部に扉を設けることができない構造になっている住宅において、階段の下方が収納室とされ、前記外壁に該収納室に出入りする為の扉が設けることで、階段下にあったデッドスペースを収納室として有効利用することなどが知られている。（特許文献１参照）。
【０００３】
【特許文献１】
特開平１０−２４６００９号公報
【０００４】
また、図１のように構造上必要な張り出し床に隣接して階段を設置する場合がある。この場合、階段と壁の間には張り出した床の分だけ隙間（デッドスペース）が生じる。従来、この隙間を、▲１▼そのまま隙間とする、又は▲２▼塞いでいた。或いは、▲３▼階段の形状に合わせて収納を設置する、▲４▼階段側から見て側面から出入れする収納を設置することが知られている。
【０００５】
【発明が解決しようとする課題】
然しながら、特許文献１の場合においては、階段下のデッドスペースに収納装置を設置することを目的としており、本発明の階段に隣接した張り出し床に生ずるデッドスペースに収納装置を設置するものとは異なる。また、図１において、前記▲３▼と▲４▼の例は部分的にデッドスペースを利用しているが、▲３▼の場合は階段がデッドスペースの手前を塞ぐ形となっている為、適当な大きさの矩形の空間として利用できず収納効率が悪かった。また▲４▼の場合は出し入れする側から見れば幅が張り出し床の出寸法しかなく、階段の長さほどもあるデッドスペースの奥まで利用することは困難であった。
【０００６】
本発明は、張り出し床と、それに隣接した階段により生ずるデッドスペースに設置する、階段側から出し入れ可能な収納装置を提供することを目的とする。
【０００７】
【課題を解決するための手段】
請求項１に記載の本発明は、階段側面に隣接した張り出し床の下に設置される収納装置であって、階段の奥行き方向に長く、引き出し可能となされたことを特徴とする収納装置である。
【０００８】
請求項２に記載の本発明は、階段昇り口側の収納（Ａ）と階段奥側の収納（Ｂ）とからなり、収納（Ａ）が向きを変えながら引き出されるとともに、収納（Ａ）が引き出された後の空間に収納（Ｂ）が引き出されることを特徴とする請求項１記載の収納装置である。
【０００９】
請求項３に記載の本発明は、前記収納（Ａ）及び（Ｂ）は階段昇り口側から出し入れが可能になされていることを特徴とする請求項１又は２記載の収納装置である。
【００１０】
【作用】
請求項１に記載の収納装置は、階段側面に隣接した張り出し床の下に設置される収納装置であって、階段の奥行き方向に長く、引き出し可能となされているのでデッドスペースである張り出し床全体を収納スペースとして利用することができる。また収納装置が引き出し可能になされているので収納装置の奥の物も容易に取り出すことができる。
【００１１】
請求項２に記載の収納装置は、階段昇り口側の収納（Ａ）と階段奥側の収納（Ｂ）とからなり、収納（Ａ）が向きを変えながら引き出されるとともに、収納（Ａ）が引き出された後の空間に収納（Ｂ）が引き出されるので、階段昇り口回りのスペースが狭くても引き出しが可能である。
【００１２】
請求項３に記載の収納装置は、前記収納（Ａ）及び（Ｂ）は階段昇り口側から出し入れが可能になされているので、床に立った場合には使い勝手の悪い高い部分が通常と変わらない使い勝手で利用できる。
【００１３】
【発明の実施の形態】
以下、本発明の実施例を図面を参照して説明する。
（実施例１）
図１は張り出し床、階段、デッドスペースの関係を示す縦断面図である。図２（イ）は本発明の収納装置の一例を示す説明図、図２（ロ）はその収納装置の内収納（Ａ）を引き出し、スライドして収納（Ｂ）を使用できる状態を示す説明図である。
【００１４】
図１において、１００は２階建の建物、２は階段、３１は１階床、３２は２階床、３３はデッドスペース床、３４は張り出し床、４はデッドスペースである。即ち、本発明は張り出し床３４下に隣接する階段２との間にできたデッドスペース４に収納装置を設置することを目的とするものである。
【００１５】
図２において、１は本発明の収納装置であり、１０Ａ，１０Ｂは収納装置の本体をなす収納（Ａ）及び（Ｂ）である。図２（イ）に示すように、収納１０Ａは矩形であり、階段側から物品を出し入れできる構造になっている。収納１０Ａと収納１０Ｂとは連結されており、図２（イ）の状態では収納１０Ａから物品を出し入れできるが、収納１０Ｂは通常デッドスペース４内の階段奥側のデッドスペース床３３Ｂに隠れているので物品を出し入れすることはできない。図２（ロ）の状態では、収納１０Ａを階段の昇り口側にスライドさせて引き出すことにより、収納１０Ａと連結された収納１０Ｂが階段の奥側のデッドスペース床３３Ｂから引き出され、収納１０Ａが置かれていたデッドスペース床３３Ａの位置に収納１０Ｂがくる。その結果、収納１０Ｂから物品の出し入れが容易にできるようになる。
【００１６】
（実施例２）
図３は本発明の収納装置の他の例を示す説明図である。実施例２は実施例１と比較して階段下のデッドスペースにも収納装置が設置されている点が異なる。実施例１と同じ物は同符号を付し説明を省略し、異なるもののみ、異符号を付して説明する。図３おいて、収納装置１に加えて、５は階段下収納装置であり、上に行くに従い階段状に幅が狭くなるように傾斜している。そのため収納装置５は段状の側面からの出し入れ式になされており、階段下の空間も最大限有効に利用することができる。そのため、他のスペースを収納以外の用途に振り向けることが可能になり、建築物の使い勝手やコストが改善される。
【００１７】
なお、本発明は上記各実施例に限定されるものではなく、例えば、折れ階段の踊り場から上の２階床につながる部分の階段下に生ずるデッドスペースに本発明の収納装置が設置されてもよい。また、本実施例１の収納１０Ａには扉が付いているが、扉は無くても良い。
【００１８】
【発明の効果】
請求項１に記載の収納装置は、階段側面に隣接した張り出し床の下に設置される収納装置であって、階段の奥行き方向に長く、引き出し可能となされているのでデッドスペースである張り出し床全体を収納スペースとして利用することができる。また収納装置が引き出し可能になされているので収納装置の奥の物も容易に取り出すことができる。
【００１９】
請求項２に記載の収納装置は、階段昇り口側の収納（Ａ）と階段奥側の収納（Ｂ）とからなり、収納（Ａ）が向きを変えながら引き出されるとともに、収納（Ａ）が引き出された後の空間に収納（Ｂ）が引き出されるので、階段昇り口回りのスペースが狭くても引き出しが可能である。
【００２０】
請求項３に記載の収納装置は、前記収納（Ａ）及び（Ｂ）は階段昇り口側から出し入れが可能になされているので、床に立った場合には使い勝手の悪い高い部分が通常と変わらない使い勝手で利用できる。
以上の効果により、従来必要とされた収納スペースが、収納以外の用途に振り向けることが可能となり、建築物の使い勝手やコストが改善される。
【００２１】
【図面の簡単な説明】
【図１】張り出し床、階段、デッドスペースの関係を示す縦断面図である。
【図２】（イ）は本発明の収納装置の一例を示す説明図、（ロ）はその収納装置の内収納（Ａ）を引き出し、スライドして収納（Ｂ）を使用できる状態を示す説明図である。
【図３】本発明の収納装置の他の例を示す説明図である。
【符号の説明】
１                        収納装置
１０Ａ，１０Ｂ                  収納
２                                                  階段
３１                      １階床
３２                              ２階床
３３                          デッドスペース床
３４                                              張り出し床
４                          デッドスペース
５                                                  階段下収納装置
【図１】
2004313607.tif 000003
【図２】
2004313607.tif 000004
【図３】
2004313607.tif 000005